(57)【要約】【課題】自他を判別可能な紙製容器について、製造の手間やコストを削減する。【解決手段】底壁１１、周壁１２、フランジ１３、仕切り壁１４を備える紙製容器１０について、フランジ１３の天板１３ａにＵ字型の切り込み２１とその間に位置するつなぎ部２２により区画される識別片２０を設ける。つなぎ部２２を折り曲げることで識別片２０をフランジ１３から起立させることが可能である。複数の識別片２０の起立状態のパターンを違え、自身の紙製容器におけるパターンを記憶しておくことで、他人の紙製容器と判別することができ、取り違えが防がれる。紙製容器に個別に異なる数字を印刷するなどして判別する場合と比較して、製造の手間やコストがかからない。【選択図】図２
2015160647.tif 000002
【特許請求の範囲】
【請求項１】
底壁と、底壁の周縁から立ち上がる周壁と、周壁の上縁に連設されたフランジとを備え、
前記フランジに形成された切り込みや易破断線により区画されて、フランジに対して折り曲げ可能またはフランジから取り外し可能な、一または複数の識別片を有する、紙製容器。
【請求項２】
前記識別片は、Ｕ字型またはＶ字型の切れこみとその切れこみの間のつなぎ部によりフランジから区画されており、前記つなぎ部を折り曲げることでフランジから起立または倒伏させることが可能になっている請求項１に記載の紙製容器。
【請求項３】
前記識別片は、環状の易破断線によりフランジから区画されており、前記易破断線を破断することでフランジから打ち抜き可能になっている請求項１に記載の紙製容器。
【請求項４】
前記底壁から立ち上がって前記底壁と前記周壁に囲まれる空間を複数の収納室に区画する仕切り壁をさらに備え、
前記フランジは天板と天板の外縁から垂下する側板とを有し、
前記識別片は前記天板または前記側板に設けられており、
パルプモールド体である、請求項１から３のいずれかに記載の紙製容器。
【発明の詳細な説明】
【技術分野】
【０００１】
本発明は、紙製容器に関する。
【背景技術】
【０００２】
従来、厚紙やパルプモールドなどから作製された種々の紙製容器が汎用されている。
そのような汎用されている同一形状の紙製容器を、立食パーティなどで複数人が用いる場合には、テーブル上に置いた自身の紙製容器を、同じくテーブル上に近接して置かれた他人の紙製容器と判別することがむずかしい。
そのため、他人の紙製容器を自身の紙製容器と取り違えてしまい、その結果、他人が食べ残した食品を口に入れるなどして、衛生面の問題が生じる可能性がある。
【０００３】
そこで特許文献１のように、複数の紙製容器に異なる数字や模様などを印刷して、立食パーティなどの際に、自身の紙製容器を他人の紙製容器とその数字や模様を目印にして判別可能とする技術も知られている。
【先行技術文献】
【特許文献】
【０００４】
【特許文献１】特開２００１−１６９８８９号公報
【発明の概要】
【発明が解決しようとする課題】
【０００５】
しかし特許文献１のように、複数の紙製容器に個別に異なる数字や模様などを印刷する場合には、複数の刻印を準備し印刷工程をその刻印ごとに分けておこなうなど、印刷の手間やコストがかかる問題がある。
また、複数の紙製容器を自他の判別が可能なひとまとまりの商品として梱包する際にも、数字や模様などが重複しないように選り分ける必要があるため、そのような選別して梱包する手間やコストもかかる問題がある。
【０００６】
そこで本発明の解決すべき課題は、自他を判別可能な紙製容器について、製造や梱包の手間やコストを削減することである。
【課題を解決するための手段】
【０００７】
上記した課題を解決するために、本発明では、底壁と、底壁の周縁から立ち上がる周壁と、周壁の上縁に連設されるフランジとを備える紙製容器について、前記フランジに切り込みや易破断線により区画されてフランジに対して折り曲げ可能またはフランジから取り外し可能な一または複数の識別片を設けたのである。
ここで易破断線とはミシン目、ハーフカットなどその線に沿った破断を容易とする加工がなされた線を意味する。
【０００８】
前記識別片は、Ｕ字型またはＶ字型の切れこみとその切れこみの間のつなぎ部によりフランジから区画されており、前記つなぎ部を折り曲げることでフランジから起立または倒伏させることが可能になっていてもよい。
前記識別片は、環状の易破断線によりフランジから区画されており、前記易破断線を破断することでフランジから打ち抜き可能になっていてもよい。
【０００９】
本発明の紙製容器は、前記底壁から立ち上がって前記底壁と前記周壁に囲まれる空間を複数の収納室に区画する仕切り壁をさらに備え、前記フランジは天板と天板の外縁から垂下する側板とを有し、前記識別片は前記天板または前記側板に設けられており、パルプモールド体であってもよい。
【発明の効果】
【００１０】
識別片の態様、すなわち各識別片のフランジに対する折り曲げの有無、折り曲げの方向や取り外しの有無を各人の紙製容器ごとに違えさせておくことにより、自他の紙製容器を容易に判別可能である。
【００１１】
各紙製容器の使用時に、識別片の折り曲げや取り外し等をおこなうことによって、後発的に自他の紙製容器を判別できるような状態にすることから、紙製容器の製造時には、同一の形状の識別片を同一の工程により形成し、紙製容器の梱包時にも、同一の形状の識別片を有する紙製容器をまとめて梱包することで足りるため、製造や梱包の手間が低減される。
【図面の簡単な説明】
【００１２】
【図１】実施形態の紙製容器の全体斜視図
【図２】実施形態の紙製容器の部分拡大斜視図
【図３】実施形態の紙製容器の（ａ）は部分拡大平面図、（ｂ）は（ａ）の矢印断面図
【図４】実施形態の紙製容器の部分拡大縦断面図
【図５】実施形態の紙製容器の識別片の他の例を示す部分拡大平面図
【図６】実施形態の紙製容器の識別片のさらに他の例を示す部分拡大斜視図
【図７】実施形態の紙製容器の識別片のさらに他の例を示す部分拡大斜視図
【発明を実施するための形態】
【００１３】
以下、図面を参照しつつ本発明の実施形態について説明する。
図１に示す実施形態の紙製容器１０は、野外におけるバーベキューパーティなど、立食パーティの際に好適に用いられるトレー状の使い捨て容器である。
実施形態の紙製容器１０は、テーブル上に置いた自身の紙製容器を、同じテーブル上に近接して置かれた他人の紙製容器と容易に判別できるような工夫がなされている。
実施形態の紙製容器１０は、たとえば葦やサトウキビのような非木材素材を原料とするパルプ懸濁液を抄き上げて金型で成型することによるパルプモールド体として作製されている。
また実施形態の紙製容器１０は、平面視が四隅に丸みを帯びた略正方形をなしており、底壁１１と、底壁１１の周縁から立ち上がる周壁１２と、周壁１２の上縁から張り出すフランジ１３と、を備える。
【００１４】
ここで実施形態の紙製容器１０の底壁１１と周壁１２により区画される空間は、底壁１１から周壁１２とほぼ同じ高さに立ち上がる仕切り壁１４により、複数の収納室に区画されている。
図１中、上下左右の四つの収納室のうち、上側、下側および左側の平面視略多角形の食品収納室１４ａは、たとえばバーベキューで調理された食品を収納することが想定されている。
また、右側の平面視略円形の飲料収納室１４ｂは、たとえばジュースやアルコール飲料を入れた紙製の使い捨てコップを載せることが想定されている。
【００１５】
図１から図３のように、実施形態の紙製容器１０のフランジ１３は、周壁１２の上縁からほぼ水平に張り出す天板１３ａと、天板１３ａの外縁から広がって垂下する側板１３ｂと、を備える。
フランジ１３の飲料収納室１４ｂに隣接する天板１３ａには、並列する複数の識別片２０が設けられている。
図２（ａ）および図３のように、各識別片２０は、フランジ１３の天板１３ａに形成されたＵ字型の切り込み２１と、その切り込み２１のＵ字の両端間に位置するつなぎ部２２（Ｕ字の両端をつなぐ仮想線）により、フランジ１３から区画されている。
【００１６】
図２（ｂ）および図４（ａ）のように、各識別片２０は、つなぎ部２２に沿ってフランジ１３の天板１３ａから上方へと折り曲げて起立させることが可能である。
また各識別片２０は、図４（ｂ）のように、つなぎ部２２に沿ってフランジ１３の天板１３ａから下方へと折り曲げて倒伏させることも可能であり、さらに図４（ｃ）のように、つなぎ部２２を手でちぎるなどして破断させて、フランジ１３から取り外すことも可能である。
【００１７】
このようにして各識別片２０を折り曲げ等することで、フランジ１３の天板１３ａとほぼ同一平面上にある状態、天板１３ａから起立した状態、天板１３ａから倒伏した状態、および天板１３ａから取り外された状態、の４つのパターンを現出することができる。
したがって、パーティ等に参加する各人において、実施形態の紙製容器１０における識別片２０の起立、倒伏、取り外し等のパターンを違えておき、そのパターンを記憶しておくことで、他人の紙製容器と誤って取り違えることを防止することができる。
たとえば図１のように、識別片２０が３つ並列している場合には、４×４×４＝６４のパターンを現出することができることから、最大６４人分の実施形態の紙製容器１０を識別可能である。
【００１８】
紙製容器の形状は、底壁１１と、底壁１１の周縁から立ち上がる周壁１２と、周壁１２に連設されるフランジ１３を有する限りにおいて実施形態に限定されず、たとえばリブや凹凸を適宜設けたり、平面視形状を円形、正方形以外の多角形としたりしてもよい。
仕切り壁１４の形状も実施形態に限定されず、３つ以下または５つ以上の収納室が区画されるようにしてもよいし、仕切り壁１４を省略して、単一の収納室としてもよい。
紙製容器はパルプモールド体には限定されず、いわゆる紙コップなどの厚紙などから作製されたものでもよい。紙製容器の寸法や壁の厚みも特に限定されない。
【００１９】
フランジ１３の形状も実施形態に限定されず、側板１３ｂを省略して平坦な形状としたり、フランジ１３の外縁に縁巻きを付属させたりするものでもよい。またフランジ１３は周壁１２の全周に設ける必要はなく、周壁１２の一部にのみ設けてもよい。
【００２０】
識別片２０の数は実施形態に限定されず、単数でも４つ以上でもよい。
上述のように識別片２０の状態に４つのパターンが存在する場合、仮に識別片２０がｎ個であれば、４ｎ人分の紙製容器を理論上は判別可能となる。
また、識別片２０をフランジ１３から取り外すと、収納室内の食品に混入する懸念があることから、取り外すパターンを用いないことも無論可能である。
その場合、各識別片２０の状態は上記４つのパターンから取り外すパターンを除いた３つのパターンに分類されるため、識別片２０がｎ個であれば、３ｎ人分の紙製容器が判別可能である。
折り曲げのパターンも識別片２０を起立させる態様のみを用い、倒伏させる態様は用いないことも無論可能である。その場合、識別片２０がｎ個であれば、２ｎ人分の紙製容器が判別可能である。
【００２１】
紙製容器の識別片２０を区画する切り込み２１の形状は、実施形態のＵ字型に限定されない。
たとえば、図５（ａ）のように、紙製容器のフランジの天板にＶ字型の切り込み２１を形成してもよく、この場合も切り込み２１と切り込み２１のＶ字の両端間に位置するつなぎ部２２により識別片２０が区画されることになる。
その他、コの字型の切り込み、Ｗ字型の切り込み、Ｘ字型の切込みなど、両端部の存在する形状の切り込み２１と、その切り込み２１の両端部間に位置するつなぎ部２２によって、フランジ１３から識別片２０を区画可能であればよい。
【００２２】
また識別片２０を区画するのは、切り込み２１に限定されず、ミシン目、ハーフカットなどの易破断線でもよい。
さらに識別片２０は、切り込み２１とミシン目２３などの易破断線を適宜組み合わせることにより区画してもよい。
たとえば、実施形態の紙製容器１０の識別片２０に、さらにそのＵ字型の切り込み２１間に位置するつなぎ部２２に沿ってミシン目２３などの易破断線を形成して、この易破断線を破断することで識別片２０をフランジ１３から取り外すことを容易にしてもよい。
【００２３】
図５（ｂ）のように、紙製容器のフランジ１３の天板１３ａに円環形のミシン目２３を形成し、そのミシン目２３により区画される識別片２０を、ミシン目２３を破断することでフランジ１３から打ち抜いて取り外せるように構成してもよい。なおミシン目は円環形に限定されず、三角環や四角環などの多角環形や楕円環であってもよい。
また図５（ｃ）のように、一対の半円弧形の切り込み２１をその両端部同士が対向するように形成し、その切り込み２１と切り込み２１の両端部間に位置するつなぎ部２２により区画される円形の識別片２０を、そのつなぎ部２２を破断することでフランジ１３から打ち抜いて取り外せるように構成してもよい。
【００２４】
識別片２０の形成位置は、フランジ１３上にある限りにおいて実施形態に限定されず、たとえば図６のように、フランジ１３の天板１３ａではなく側板１３ｂに形成してもよい。
フランジ１３の側板１３ｂに設けられる識別片２０の形状も、フランジ１３の天板１３ａに設けられた場合と同様に側板１３ｂから区画可能である限りにおいて特に限定されない。
【００２５】
側板１３ｂの識別片２０は、たとえば図６（ａ）のように、半円弧形のミシン目２３と側板の下縁により半円形に区画され、図６（ｂ）のように、ミシン目２３を破断することで打ち抜き可能に構成してもよい。
また側板１３ｂの識別片２０は、図７（ａ）のように、倒立Ｌ字型の切り込み２１と側板の下縁により矩形に区画され、図７（ｂ）のように、切り込み２１の上端部と側板１３ｂの下縁をつなぐつなぎ部２２を折り曲げることで、フランジ１３の側板１３ｂから起立または倒伏可能に構成してもよい。
【００２６】
今回開示された実施形態はすべての点で例示であって制限的なものではないと考慮されるべきである。本発明の範囲は特許請求の範囲によって示され、その範囲内でのすべての修正と変形を含むものであることが意図される。
【符号の説明】
【００２７】
１０  実施形態の紙製容器
１１  底壁
１２  周壁
１３  フランジ
１３ａ  天板
１３ｂ  側板
１４  仕切り壁
１４ａ  食品収納室
１４ｂ  飲料収納室
２０  識別片
２１  切り込み
２２  つなぎ部
２３  ミシン目
【図１】
2015160647.tif 000003
【図２】
2015160647.tif 000004
【図３】
2015160647.tif 000005
【図４】
2015160647.tif 000006
【図５】
2015160647.tif 000007
【図６】
2015160647.tif 000008
【図７】
2015160647.tif 000009